(57)【要約】      （修正有）【課題】簡単な構造で容易に交換することができ、かつ装飾性を向上することができる着脱部材を備えたランドセルを提供する。【解決手段】ランドセルは、鳩目部材に着脱可能に設けられた着脱部材４を備えている。着脱部材４は鳩目部材に取り付けられた状態で、表面Ｓ１側に位置し、かつ表面Ｓ１において鳩目部材の孔の径より大きい径を有する表面部と、鳩目部材に取り付けられた状態で、裏面側に位置し、かつ裏面において鳩目部材の孔の径よりも大きい径を有し、表面部の径より小さい径を有する裏面部と、表面部と裏面部との間に設けられ、かつ鳩目部材の孔を挿通可能な軸部とを含んでいる。裏面部は、弾性変形可能であり、かつ鳩目部材の孔を通過後に鳩目部材および裏面の少なくともいずれかと係合可能に構成されている。【選択図】図１
0003174645.tif 000002
【実用新案登録請求の範囲】
【請求項１】
開口部を有する本体部と、
前記本体部に接続された肩ベルトと、
前記開口部を開閉可能に前記本体部に接続された蓋体と、
前記本体部、前記肩ベルトおよび前記蓋体の少なくともいずれかの表面および裏面を貫通する孔を有し、かつ前記表面および前記裏面を挟むように設けられた鳩目部材と、
前記鳩目部材に着脱可能に設けられた着脱部材とを備え、
前記着脱部材は
前記鳩目部材に取り付けられた状態で、前記表面側に位置し、かつ前記表面において前記鳩目部材の前記孔の径より大きい径を有する表面部と、
前記鳩目部材に取り付けられた状態で、前記裏面側に位置し、かつ前記裏面において前記鳩目部材の前記孔の径よりも大きい径を有し、前記表面部の径より小さい径を有する裏面部と、
前記表面部と前記裏面部との間に設けられ、かつ前記鳩目部材の前記孔を挿通可能な軸部とを含み、
前記裏面部は、弾性変形可能であり、かつ前記鳩目部材の前記孔を通過後に前記鳩目部材および前記裏面の少なくともいずれかと係合可能に構成されている、ランドセル。
【請求項２】
前記蓋体を保持可能な保持部と、
前記保持部に着脱可能な先端部と、
前記先端部と前記蓋体とを連結するように設けられた連結部とをさらに備え、
前記連結部は前記蓋体の前記表面と前記裏面との間に挿入された状態で前記鳩目部材に挟まれている、請求項１に記載のランドセル。
【請求項３】
前記軸部は前記鳩目部材の前記孔の径よりも大きい径を有している、請求項１または２に記載のランドセル。
【考案の詳細な説明】
【技術分野】
【０００１】
本考案はランドセルに関するものである。
【背景技術】
【０００２】
ランドセルの使用者は、好みに応じてランドセルに装飾部品を取り付けることを要望することがある。たとえば、特開２０１１−１９４１１２号公報（特許文献１）には、購入者が選んだ装飾部品が後付で取付けられたランドセルが開示されている。このランドセルでは、背負い帯のランドセルを背負ったときに身体の前方に向く位置に装飾部品が固定されている。この装飾部品は、ランドセルの購入者によって多数の種類の装飾部品の中から希望のものが選択されている。
【０００３】
選択された装飾部品は次のように背負い帯に取り付けられる。ポンチ等の工具が用いられて背負い帯のランドセルを背負ったときに身体の前方に向く位置の両側に一対の取付け孔が設けられる。選択された装飾部品の挿通環に予め挿通された取付け部材が背負い帯の前面に重ねられる。取付け部材の両端の貫通孔が背負い帯の一対の取付け孔に合わされた状態で貫通孔と取付け孔とにわたってカシメ鋲が挿通され、このカシメ鋲がカシメ処理される。これにより、背負い帯のランドセルを背負ったときに身体の前方に向く位置に装飾部品が固定される。
【先行技術文献】
【特許文献】
【０００４】
【特許文献１】特開２０１１−１９４１１２号公報
【考案の概要】
【考案が解決しようとする課題】
【０００５】
上記公報に記載されたランドセルでは、ランドセルの購入者が多数の種類の装飾部品の中から選択した１つの装飾部品が取り付けられる。しかし、複数の装飾部品を好みに応じて交換することは記載されていない。また、上記公報に記載されたランドセルでは、選択された装飾部品の挿通環に予め挿通された取付け部材が背負い帯にカシメ処理される。したがって、装飾部品を交換するためには、カシメ鋲を壊して取付け部材を背負い帯から取り外して装飾部品の挿通環から取付け部材を抜き取る必要がある。そして、新しい装飾部品の挿通環に取付け部材を挿通して背負い帯に取付け部材をカシメ処理する必要がある。したがって、装飾部品を交換することは困難である。
【０００６】
本考案は、上記課題を鑑みてなされたものであり、その目的は、簡単な構造で容易に交換することができ、かつ装飾性を向上することができる着脱部材を備えたランドセルを提供することである。
【課題を解決するための手段】
【０００７】
本考案のランドセルは、開口部を有する本体部と、本体部に接続された肩ベルトと、開口部を開閉可能に本体部に接続された蓋体と、本体部、肩ベルトおよび蓋体の少なくともいずれかの表面および裏面を貫通する孔を有し、かつ表面および裏面を挟むように設けられた鳩目部材と、鳩目部材に着脱可能に設けられた着脱部材とを備えている。着脱部材は鳩目部材に取り付けられた状態で、表面側に位置し、かつ表面において鳩目部材の孔の径より大きい径を有する表面部と、鳩目部材に取り付けられた状態で、裏面側に位置し、かつ裏面において鳩目部材の孔の径よりも大きい径を有し、表面部の径より小さい径を有する裏面部と、表面部と裏面部との間に設けられ、かつ鳩目部材の孔を挿通可能な軸部とを含んでいる。裏面部は、弾性変形可能であり、かつ鳩目部材の孔を通過後に鳩目部材および裏面の少なくともいずれかと係合可能に構成されている。
【０００８】
本考案のランドセルでは、着脱部材は表面部と裏面部と軸部とで構成されているため、簡易な構造を有している。また、着脱部材の裏面部は、表面部の径より小さい径を有しており、弾性変形可能であり、かつ鳩目部材の孔を通過後に鳩目部材および裏面の少なくともいずれかと係合可能に構成されている。このため、裏面部が鳩目部材の孔を容易に通過することができる。したがって、鳩目部材の孔に着脱部材を容易に取り付けおよび取り外しすることができる。また、鳩目部材の孔に装飾性を有する着脱部材を取り付けることによってランドセルの装飾性を向上することができる。
【０００９】
上記のランドセルでは、好ましくは、蓋体を保持可能な保持部と、保持部に着脱可能な先端部と、先端部と蓋体とを連結するように設けられた連結部とをさらに備えている。連結部は蓋体の表面と裏面との間に挿入された状態で鳩目部材に挟まれている。
【００１０】
このため、鳩目部材で連結部と蓋体とを固定することができる。そして、鳩目部材によって連結部と蓋体とが固定された状態で鳩目部材に着脱部材を取り付けることができる。したがって、鳩目部材で連結部と蓋体とを固定しつつ着脱部材で装飾性を向上することができる。
【００１１】
上記のランドセルでは、好ましくは、軸部は鳩目部材の孔の径よりも大きい径を有している。このため、軸部が鳩目部材の孔の内周面に接することによって、軸部が鳩目部材の孔の中で回転することが抑制される。これにより、着脱部材の位置を安定させることができる。
【考案の効果】
【００１２】
以上説明したように、本考案によれば、簡単な構造で容易に交換することができ、かつ装飾性を向上することができる着脱部材を備えたランドセルを提供することができる。
【図面の簡単な説明】
【００１３】
【図１】本考案の一実施の形態におけるランドセルの概略斜視図である。
【図２】本考案の一実施の形態におけるランドセルの概略背面図である。
【図３】本考案の一実施の形態におけるランドセルの概略底面図である。
【図４】本考案の一実施の形態におけるランドセルの蓋を開けた状態を示す概略斜視図である。
【図５】図１のＰ１部を示す拡大図である。
【図６】図４のＰ２部を示す拡大図である。
【図７】図５のＶＩＩ−ＶＩＩ線に沿う概略断面図である。
【図８】本考案の一実施の形態における着脱部材の概略斜視図である。
【図９】本考案の一実施の形態における表面側での鳩目部材を示す拡大図である。
【図１０】本考案の一実施の形態における裏面側での鳩目部材を示す拡大図である。
【図１１】本考案の一実施の形態における着脱部材の他の例を示す概略斜視図である。
【考案を実施するための形態】
【００１４】
以下、本考案の実施の形態について図に基づいて説明する。
（実施の形態１）
最初に本考案の一実施の形態のランドセルの構成について説明する。
【００１５】
図１〜図４を参照して、本実施の形態のランドセルは、本体部１と、肩ベルト２と、蓋体３と、着脱部材４と、鳩目部材５と、保持部１１と、先端部１２と、連結部１３とを主に有している。
【００１６】
本体部１は、ランドセルを使用者が背負ったときに背中が接する背板部１ａと、背板部１ａの両側に設けられた側面部１ｂと、背板部１ａと対向して側面部１ｂと両側で連結された正面部１ｃと、背板部１ａ、側面部１ｂおよび正面部１ｃの下端に設けられた底面部１ｄとを有している。また、本体部１は、背板部１ａ、側面部１ｂおよび正面部１ｃの上端に設けられた開口部ＯＰを有している。開口部ＯＰは底面部１ｄと反対側に開口している。
【００１７】
肩ベルト２は本体部１の背板部１ａの上端部と底面部１ｄとに接続されている。肩ベルト２は、左右に２本設けられている。肩ベルト２は、ランドセルを使用者が背負ったときに使用者の両肩に装着されるように構成されている。
【００１８】
蓋体３は開口部ＯＰを開閉可能に本体部１に接続されている。つまり、蓋体３は本体部１の背板部１ａの上端部に接続されており、本体部１の開口部ＯＰおよび正面部１ｃとを覆うことが可能に設けられている。
【００１９】
着脱部材４は、装飾が施された装飾部材であり、装飾性を有している。本実施の形態では、着脱部材４は、本体部１、肩ベルト２および蓋体３に装着されている。本体部１の側面部１ｂの上部に１個の着脱部材４が装着されており、肩ベルト２の上部に２個の着脱部材４が装着されており、蓋体３の下部に２個の着脱部材４が装着されている。なお、着脱部材４の位置および個数はこれらに限定されない。また、着脱部材４は鳩目部材５に取り付けられている。着脱部材４および鳩目部材５の詳細な構成は後述する。
【００２０】
保持部１１は蓋体３を保持可能に構成されている。保持部１１は回動可能な摘体１１ａを有している。摘体１１ａは保持部１１の中央部に設けられている。先端部１２は保持部１１に着脱可能に構成されている。先端部１２は摘体１１ａと係合可能な係合孔１２ａを有している。係合孔１２ａは先端部１２の中央部に設けられている。連結部１３は、先端部１２と蓋体３とを連結するように設けられている。連結部１３の一端は先端部１２に取り付けられており、他端は蓋体３に取り付けられている。
【００２１】
係合孔１２ａに摘体１１ａが挿通され、摘体１１ａが係合孔１２ａと交差する状態に回動されることによって、保持部１１に先端部１２が保持される。一方、摘体１１ａが係合孔１２ａに沿う状態に回動され、係合孔１２ａから摘体１１ａが抜き取られることによって、保持部１１から先端部１２が取り外される。
【００２２】
続いて、着脱部材４および鳩目部材５の詳細な構成について説明する。
図５〜図７を参照して、着脱部材４は鳩目部材５に着脱可能に設けられている。着脱部材４は表面部４ａと、裏面部４ｂと、軸部４ｃとを有している。鳩目部材５は蓋体３の表面Ｓ１および裏面Ｓ２を貫通する孔Ｈを有し、蓋体３の表面Ｓ１および裏面Ｓ２を挟むように設けられている。鳩目部材５は、蓋体３の表面Ｓ１および裏面Ｓ２を挟んでいる部分の外側において、表面Ｓ１およびＳ２のそれぞれと略面一となるように設けられている。
【００２３】
また、鳩目部材５は、本体部１および肩ベルト２においても同様に設けられている。なお、着脱部材４に設置に応じて、鳩目部材５は本体部１、肩ベルト２および蓋体３の少なくともいずれかに設けられていればよい。
【００２４】
また、蓋体３は、表皮３ａと、クッション材３ｂと、芯材３ｃと、裏皮３ｄを有している。連結部１３は、表皮１３ａと、芯材１３ｂと、裏皮１３ｃとを有している。連結部１３は蓋体３の表面Ｓ１と裏面Ｓ２との間に挿入された状態で鳩目部材５に挟まれている。より具体的には連結部１３の表皮１３ａが蓋体３の芯材３ｃに接し、連結部１３の裏皮１３ｃが蓋体３の裏皮３ｄに接した状態で連結部１３は鳩目部材５に挟まれている。
【００２５】
着脱部材４の表面部４ａは、着脱部材４が鳩目部材５に取り付けられた状態で、表面Ｓ１側に位置し、表面Ｓ１において鳩目部材５の孔Ｈの径より大きい径を有している。着脱部材４の裏面部４ｂは、着脱部材４が鳩目部材５に取り付けられた状態で、裏面Ｓ２側に位置し、裏面Ｓ２において鳩目部材５の孔Ｈの径よりも大きい径を有し、表面部４ａの径より小さい径を有している。
【００２６】
着脱部材４の軸部４ｃは、表面部４ａと裏面部４ｂとの間に設けられ、鳩目部材５の孔Ｈを挿通可能に設けられている。軸部４ｃの長さ寸法は鳩目部材５の長さ寸法と略同じ大きさを有していてもよい。また、軸部４ｃは鳩目部材５の孔Ｈの径よりも大きい径を有していてもよい。
【００２７】
また、着脱部材４の裏面部４ｂは、弾性変形可能であり、鳩目部材５の孔Ｈを通過後に鳩目部材５および裏面Ｓ２の少なくともいずれかと係合可能に構成されている。鳩目部材５に取り付けられた状態で、着脱部材４の裏面部４ｂは鳩目部材５上に位置していてもよく、裏面Ｓ２上に位置していてもよい。着脱部材４の裏面部４ｂは、弾性変形した状態で鳩目部材５の孔Ｈを通過可能に構成されている。そして、着脱部材４の裏面部４ｂは、鳩目部材５の孔Ｈを通過後には孔Ｈの径より大きな径を有するように構成されている。なお、着脱部材４は、裏面部４ｂだけでなく、表面部４ａおよび軸部４ｃも弾性変形可能に構成されていてもよい。着脱部材４はたとえば樹脂およびゴムなどで形成されていてもよい。また、鳩目部材５はたとえば金属などで形成されていてもよい。
【００２８】
本実施の形態では、蓋体３の表面Ｓ１では着脱部材４は鳩目部材５を覆い隠すように装着されている。また、蓋体３の裏面Ｓ２では着脱部材４は鳩目部材５の中央部に設けられた突起部５ａ上に配置されており、着脱部材４は鳩目部材５の外周部上には設けられていない。また、着脱部材４は、裏面Ｓ２上には接していない。なお、着脱部材４および鳩目部材５の構造はこれらに限定されない。また、着脱部材４は鳩目部材５の少なくとも一部を覆っているため、鳩目部材５を保護することができる。
【００２９】
図８〜図１０を参照して着脱部材４が鳩目部材５から取り外された状態における着脱部材４および鳩目部材５の構成について説明する。
【００３０】
図８に示すように、着脱部材４の表面部４ａは円柱形状を有している。着脱部材４の裏面部４ｂは表面部４ａの径より小さい寸法の径を有している。着脱部材４の裏面部４ｂは軸部４ｃと反対側に向かって体積が小さくなる半球形状を有している。着脱部材４の裏面部４ｂは先端に向かって径が小さくなるように形成されている。着脱部材４の軸部４ｃは円柱形状を有している。着脱部材４の軸部４ｃは表面部４ａおよび裏面部４ｂの径より小さい寸法の径を有している。
【００３１】
図９に示すように、鳩目部材５は中央部に蓋体３の表面Ｓ１側と裏面Ｓ２側とを貫通する孔Ｈを有している。図１０に示すように、蓋体３の裏面Ｓ２においては鳩目部材５は中央部に設けられた孔Ｈの開口に沿って形成された突起部５ａを有している。
【００３２】
また、図１１を参照して、着脱部材４は、表面部４ａの一部が金属で構成されていてもよい。図１１に示される本実施の形態の着脱部材４の他の例では表面部４ａの上部に金属で構成された装飾体が設けられている。
【００３３】
なお、着脱部材４に施される装飾の一例として、表面部４ａに模様が形成されてもよい。この模様は星形、ハート形、アルファベットの文字などであってもよい。たとえば着脱部材４の表面部４ａに模様が描かれていてもよい。また、着脱部材４の表面部４ａの形状が模様を構成していてもよい。
【００３４】
次に本考案の一実施の形態のランドセルの作用効果について説明する。
本考案の一実施の形態のランドセルでは、着脱部材４は表面部４ａと裏面部４ｂと軸部４ｃとで構成されているため、簡易な構造を有している。また、着脱部材４の裏面部４ｂは、表面部４ａの径より小さい径を有しており、弾性変形可能であり、かつ鳩目部材５の孔Ｈを通過後に鳩目部材５および裏面Ｓ２の少なくともいずれかと係合可能に構成されている。このため、裏面部４ｂが鳩目部材５の孔Ｈを容易に通過することができる。したがって、鳩目部材５の孔Ｈに着脱部材４を容易に取り付けおよび取り外しすることができる。また、鳩目部材５の孔Ｈに装飾性を有する着脱部材４を取り付けることによってランドセルの装飾性を向上することができる。
【００３５】
本考案の一実施の形態のランドセルでは、連結部１３は蓋体３の表面Ｓ１と裏面Ｓ２との間に挿入された状態で鳩目部材５に挟まれているため、鳩目部材５で連結部１３と蓋体３とを固定することができる。そして、鳩目部材５によって連結部１３と蓋体３とが固定された状態で鳩目部材５に着脱部材４を取り付けることができる。したがって、鳩目部材５で連結部１３と蓋体３とを固定しつつ着脱部材４で装飾性を向上することができる。
【００３６】
本考案の一実施の形態のランドセルでは、軸部４ｃは鳩目部材５の孔Ｈの径よりも大きい径を有しているため、軸部４ｃが鳩目部材５の孔Ｈの内周面に接することによって、軸部４ｃが鳩目部材５の孔Ｈの中で回転することが抑制される。これにより、着脱部材４の位置を安定させることができる。
【００３７】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【産業上の利用可能性】
【００３８】
本考案は、ランドセルに特に有利に適用され得る。
【符号の説明】
【００３９】
１  本体部、２  肩ベルト、３  蓋体、４  着脱部材、４ａ  表面部、４ｂ  裏面部、４ｃ  軸部、５  鳩目部材、５ａ  突起部、１１  保持部、１１ａ  摘体、１２  先端部、１２ａ  係合孔、１３  連結部、ＯＰ  開口部、Ｓ１  表面、Ｓ２  裏面。
【図１】
0003174645.tif 000003
【図２】
0003174645.tif 000004
【図３】
0003174645.tif 000005
【図４】
0003174645.tif 000006
【図５】
0003174645.tif 000007
【図６】
0003174645.tif 000008
【図７】
0003174645.tif 000009
【図８】
0003174645.tif 000010
【図９】
0003174645.tif 000011
【図１０】
0003174645.tif 000012
【図１１】
0003174645.tif 000013